(57)【要約】【課題】閃光の利用効率を向上させ、キセノン管の小型化並びにメインコンデンサの小型化を図ることができる閃光発光装置を備えたカメラ提供すること。【解決手段】プロテクタ５とリフレクタ７とに蛍光材料１３０を塗布する。キセノン管６から照射される閃光のうち、蛍光を促すものとしてリフレクタ７に塗布された蛍光材料１３０に可視光域外の閃光を当てて可視光域内の蛍光を発生させる。そしてその蛍光を含めた光を閃光としてプロテクタ５から出射させる。【選択図】    図５
2004226455.tif 000002
【特許請求の範囲】
【請求項１】
被写体の撮影を行なうカメラにおいて、
撮影に同期して閃光を発する閃光発光装置を備え、
前記閃光発光装置が、電力の供給を受けて閃光を発する発光管と、この発光管から発せられた閃光のうち前方に発せられた閃光を除く閃光を前方に向けて反射するリフレクタと、該発光管および該リフレクタの前面を覆い該発光管から発せられた閃光を前方に出射させるプロテクタとを備えるとともに、該発光管から発せられ該リフレクタで反射して該プロテクタから前方に出射するまでの間の閃光の光路上に、可視光域内の波長の蛍光を発する蛍光材料が塗布または添加されたものが配置されてなることを特徴とするカメラ。
【請求項２】
前記蛍光材料は、イットリウムアルミニウムガーネットであることを特徴とする請求項１記載のカメラ。
【請求項３】
前記リフレクタに前記蛍光材料が塗布されてなることを特徴とする請求項１記載のカメラ。
【請求項４】
前記発光管に前記蛍光材料が塗布または添加されてなることを特徴とする請求項１記載のカメラ。
【請求項５】
前記プロテクタに前記蛍光材料が塗布または添加されてなることを特徴とする請求項１記載のカメラ。
【請求項６】
このカメラがさらに、
被写体像を捉えて画像データを生成する撮像素子と、
撮影に同期して前記閃光発光装置から閃光を発光させる閃光発光撮影時に前記蛍光材料により発せられた蛍光を含めてホワイトバランスを調節するホワイトバランス調節回路とを備えたことを特徴とする請求項１記載のカメラ。
【発明の詳細な説明】
【０００１】
【発明の属する技術分野】
本発明は、閃光を発して被写体の撮影を行なうカメラに関する。
【０００２】
【従来の技術】
カメラには被写界輝度が低輝度のときにフィルムあるいは撮像素子の感光面に充分な光量を与えるため、閃光を発光する閃光発光装置が備えられているものが多い。
【０００３】
図１はその閃光発光装置を備えたカメラ１の外観を示す図である。
【０００４】
図１に示すようにカメラボディ１ａ上面にはレリーズ釦２が備えられており、カメラボディ前面の中央付近にはレンズ鏡胴３が備えられている。そのレンズ鏡胴３の斜め上方には発光窓４が設けられており、その発光窓４にはプロテクタ５が嵌め込まれている。このプロテクタ５の内側にはそのプロテクタ５を通して閃光を被写体に向けて発する発光管６が配備されている。図２はその発光管６廻りの発光部の構成を示す図である。この図２では発光管６としてキセノン管が示されている。
【０００５】
図２に示すようにキセノン管６は円筒状の形状を成すもので、その円筒状のキセノン管６の長手方向に沿って湾曲したリフレクタ７が配備されている。このリフレクタ７により閃光を被写体側に反射させることが行なわれる。
【０００６】
キセノン管６から照射される閃光は紫外線光から赤外線光までを含んだものになっており、撮影に必要な赤色光（以下Ｒ光という）、緑色光（以下Ｇ光という）、青色光（以下Ｂ光という）以外の光が多く含まれる。実際には可視光域内の波長を持つ光、特にＲ光、Ｇ光、Ｂ光があれば良く、この光の３原色が加法混合されて発せられれば肉眼では白色光に見える光が被写体に向けて照射され、その閃光に基づいてカラー画像を生成するための信号処理を行なえる。デジタルカメラなどではこの光の３原色を構成するＲ光、Ｇ光、Ｂ光をうまく混合することで黒色から白色までの様々な色を得て、カラー画像を生成している。
【０００７】
このことはキセノン管から発せられる閃光が可視光域内、特にＲ光、Ｇ光、Ｂ光だけで充分であるということを示唆しており、もしもキセノン管から発せられる閃光がＲ光、Ｇ光，Ｂ光の３色で混合されたものであれば閃光の利用効率が上がるということを示唆している。
【０００８】
ところで近年Ｂ光を発する発光ダイオードの出現により白色発光ダイオードを製造しようとする動きが活発になってきている。発光ダイオードには他にＲ光ダイオード、Ｇ光ダイオードなどがあるのでＢ光ダイオードを活用すればそれら発光ダイオードを混合することによって白色の閃光を得ることも可能である。
【０００９】
このような白色光を得る発光ダイオードの中には、Ｒ光とＧ光の補色である黄色光（以下Ｙ光という）を利用して白色を発するようにしたものもある（例えば特許文献１参照）。
【００１０】
しかしこれらの発光ダイオードは発光エネルギーが小さく、キセノン管などの発光管に代えて閃光発光装置の発光管として使用するまでにはまだ至っていない。
【００１１】
【特許文献１】
特許第３０８７７４２号公報
【００１２】
【発明が解決しようとする課題】
本発明は、上記事情に鑑み、閃光の利用効率を向上させ、発光管の小型化並びにメインコンデンサの小型化を図ることができる閃光発光装置を備えたカメラ提供することを目的とする。
【００１３】
【課題を解決するための手段】
上記目的を達成する本発明の閃光発光装置は、被写体の撮影を行なうカメラにおいて、
撮影に同期して閃光を発する閃光発光装置を備え、
上記閃光発光装置が、電力の供給を受けて閃光を発する発光管と、この発光管から発せられた閃光のうち前方に発せられた閃光を除く閃光を前方に向けて反射するリフレクタと、そのリフレクタと上記発光管およびそのリフレクタの前面を覆いその発光管から発せられた閃光を前方に出射させるプロテクタとを備えるとともに、その発光管から発せられ該リフレクタで反射して該プロテクタから前方に出射するまでの間の閃光の光路上に、可視光域内の波長の蛍光を発する蛍光材料が塗布または添加されたものが配置されてなることを特徴とする。
【００１４】
上記本発明のカメラによれば、発光管から発せられた閃光が閃光の光路上にある上記蛍光材料に照射されることになる。このため蛍光材料から発せられた蛍光を含めた閃光が上記プロテクタから出射される。上記蛍光材料は、上記可視光域内の波長の蛍光を発するものであるため、上記プロテクタから出射される光は、可視光域内の光量が増やされた光になる。このときには可視光域外の波長を持つ光が蛍光作用に大きく寄与してあたかも可視光域外の光が上記可視光域内の波長を持つ光に変換されたかのようになる。そうすると発光管から発せられた光の可視光域内の光量が増加し、可視光域外の光量が減少した光が閃光となって上記プロテクタから出射されるので、上記発光管の利用効率が上がる。
【００１５】
その結果、上記発光管の電力を小さくすることも、メインコンデンサの容量を小さくすることも可能になる。
【００１６】
上記蛍光材料は、イットリウムアルミニウムガーネットを主成分としたものであることが好ましい。
【００１７】
上記蛍光材料にイットリウムアルミニウムガーネットを主成分としたものを使用すると、蛍光作用によって発せられる光の波長が４７０ｎｍ〜６５０ｎｍの波長帯の光になる。そうすると、青色の波長帯（４４０ｎｍ〜５００ｎｍ）から赤色の波長帯（６１０ｎｍ〜７００ｎｍ）に至る光が蛍光により発せられ、その蛍光の分可視光域内の光の光量が増えた光が閃光になってプロテクタから出射される。
【００１８】
このように可視光域内の波長を持つ光の光量が増えた光が閃光になってプロテクタから出射されると、可視光域内のＲ光、Ｇ光、Ｂ光の光量が増え、撮影に必要な光が増量された閃光が被写体に向けて照射される。このように発光管自体の発光分布が上記蛍光を含めた発光分布に変換されると発光管の利用効率が上がる。
【００１９】
上記蛍光材料は発光管から上記プロテクタに至るまでの経路内にあればどこに塗布されていても良く、その塗布される場所は上記リフレクタの表面であっても、上記発光管の表面であっても、上記プロテクタの表面であっても良い。また蛍光材料を上記プロテクタ、上記リフレクタ、上記発光管に塗布しても良いが、上記発光管、上記プロテクタに蛍光材料が添加された材料で製作されたものを使用することも可能である。このときには蛍光材料を塗布する必要がなくなり、上記蛍光材料が添加された材料で製作された発光管またはプロテクタをそのまま使用すれば良い。このときには塗布工程が軽減される分、上記閃光発光装置の組立作業が軽減されるという効果もある。
【００２０】
このカメラに上記閃光発光装置を適用するときには、
被写体像を捉えて画像データを生成する撮像素子と、
撮影に同期して前記閃光発光装置から閃光を発光させる閃光発光撮影時に前記蛍光材料により発せられた蛍光を含めてホワイトバランスを調節するホワイトバランス調節回路とを備えることが好ましく、そのホワイトバランス調節回路で閃光発光撮影時に前記蛍光材料により発せられた蛍光を含めてホワイトバランスを調節することが望ましい。
【００２１】
上記閃光発光装置がカメラに適用されると閃光発光時にプロテクタから出射される閃光の発光分布特性が上記蛍光を含めたものに変わるので上記ホワイトバランス調節回路を配備することでその発光分布特性に基づいてホワイトバランスの調整を行なえる。
【００２２】
【発明の実施の形態】
以下、本発明の実施形態であるデジタルカメラの構成を説明する。このデジタルカメラの外観は図１と同様のものである。図３はデジタルカメラの構成を示す構成ブロック図である。
【００２３】
図３を参照してこのカメラの構成を簡単に説明する。
【００２４】
このカメラ１００はメインＣＰＵ１０１によって制御されており、そのメインＣＰＵ１０１は、不図示のＲＯＭに格納されているプログラムの手順にしたがってこのカメラ全体の動作を制御する。また不図示のＲＡＭにはそのプログラムの手順にしたがってこのカメラ全体の制御をしているときに、そのカメラの処理の経過などを示す変数が処理に応じて記憶されるようになっている。さらにこのカメラ１００には、後述するホワイトバランス調節用の補正データが記憶されるフラッシュメモリ１０２が配備されている。
【００２５】
まず、このカメラ１００によって撮影が行なわれたときの画像データの流れを説明する。
【００２６】
このカメラ１００は被写体像を捉える撮像素子１０３を備えており、その撮像素子１０３に被写体像を結像させるためのレンズ１０４がレンズ鏡胴内に内蔵されている。この撮像素子１０３とレンズ１０４との間には絞り１０５が備えられており、この絞り１０５の開口がメインＣＰＵ１０１の指示に基づいて調節される。
【００２７】
この絞りの開口がメインＣＰＵ１０１により調節された後、レンズ１０４で撮影素子１０３に被写体像を結像させ、その結像させた被写体像に基づいた画像データが撮像素子１０３で生成される。
【００２８】
撮像素子１０３にはメインＣＰＵ１０１で制御されるタイミングジェネレータ１０６からタイミング信号が供給されており、そのタイミング信号によって撮像素子１０３内に結像された被写体像に基づく画像データがアナログ信号処理部１０７に読み出される。
【００２９】
撮像素子１０３には縦横に多数の画素が配列されており、それら縦横に配列された多数の画素のうち横方向に配列された各画素の電荷を順次読み出すための駆動信号（以下Ｈ信号という）を与える水平走査レジスタと、縦方向に配列された各画素の電荷を順次読み出すための駆動信号（以下Ｖ信号という）を与える垂直走査レジスタとが備えられている。これら垂直走査レジスタおよび水平走査レジスタから各画素のいずれかに駆動信号を供給することにより縦横に配列された各画素の電荷がＲＧＢ信号になって順次読み出される。横方向に配列された各画素の読み出しタイミングを与える駆動信号がＨ１信号，Ｈ２信号の２相信号であり、縦方向に配列された各画素の読み出しタイミングを与える駆動信号がＶ１信号からＶ４信号の４相信号である。また横方向に配列された各画素の電荷を読み出す前に、画素の状態を一旦リセットしてその後各画素に電荷を蓄積させるためリセット信号ＲＳもＨ１信号、Ｈ２信号とともに供給されている。
【００３０】
このようにＨ１信号，Ｈ２信号およびＶ１信号〜Ｖ４信号までの駆動信号に基づいて撮像素子１０３から画像データの読み出しが行なわれて、後段のアナログ信号処理回路１０７に供給される。ここではレリーズ操作がまだ行われていないので撮像素子１０３の全画素に対応する画像データを読み出さずに間引いて画像データが読み出される。
【００３１】
この読み出された信号がアナログ信号処理回路１０７に供給されて、雑音の低減が行なわれ、その雑音の低減が行なわれたアナログ信号のＲＧＢ信号がＡ／Ｄ変換回路１０８に供給される。このＡ／Ｄ変換回路１０８によりアナログ信号のＲＧＢ信号からなる画像データがデジタル信号のＲＧＢ信号からなる画像データに変換されてこの変換されたデジタル信号のＲＧＢ信号からなる画像データがさらに後段のデジタル信号処理部１０９に供給される。このデジタル信号処理部１０９には映像信号処理部、ＡＦ（Ａｕｔｏ  Ｆｏｃｕｓ）検出部、輝度検出部、ホワイトバランス調整部といったものなどがある。映像信号処理部ではＲＧＢ信号からなる画像データがＹＣ信号からなる画像データへ変換される。また、輝度検出部ではＲＧＢ信号から輝度、コントラストを示す信号が抽出される。さらにホワイトバランス調整部では、Ｒ、Ｇ，Ｂ信号それぞれのダイナミックレンジの調整が行なわれる。
【００３２】
図３には発明の特徴部分になるホワイトバランス調節部をホワイトバランス調整回路１１０として取り出して記載し、そのホワイトバランスを除く他の信号処理部との間で相互に画像データのやり取りが行なわれるものとしてホワイトバランス調整部を記載してある。
【００３３】
このデジタル信号処理部１０９の中の映像信号処理部でＲＧＢ信号からＹＣ信号に変換された信号がメモリ１１１に記憶され、そのメモリ１１１にある画像データがＬＣＤコントローラ１１２に供給されて、ＬＣＤ１１２のＬＣＤパネル１１４上に被写体像を表わす画像が表示される。
【００３４】
レリーズ操作が行なわれない間は、撮像素子１０３から所定の間隔ごとに画像データの読み出しが行なわれてＬＣＤパネル１１４上に被写体像を表わす画像がスルー画像として表示される。このＬＣＤパネル１１４はタッチパネルタイプになっており、メニューなどが表示されると、そのメニューの中の選択項目にユーザが触れることによりメニュの選択を行なうことができる構成になっている。
【００３５】
ここで操作部２ａの中にあるレリーズ釦２（図１参照）が押されると、そのレリーズ操作が行われたときに撮像素子１０３で生成された画像データがメモリカード１１６に記録される。このときには全画素データが読み出されて、圧縮伸張部１１５で圧縮が行なわれてからメモリカード１１６に画像データの記録が行なわれる。また、再生可能な構成にもなっており、たとえば再生モードに切り替えられると、メモリカード１１６に記録されている画像データが読み出されてＬＣＤパネル１１４上に表示されるようにもなっている。このときには圧縮されて記録されている画像データが圧縮伸張部１１５で伸張されてからＬＣＤ１１３に供給される。
【００３６】
また、このカメラ１００には前述した輝度検出部で被写界輝度が低輝度であったときに閃光を発する閃光発光装置１２０も配備されている。
【００３７】
この閃光発光装置１２０には発光管としてキセノン管６が配備されており、メインＣＰＵ１０１から閃光の指示が与えられるとキセノン管６から閃光発光が行なわれる。
【００３８】
図４は図１の中の閃光発光装置の構成を示す図である。
【００３９】
図４に示すように、この閃光発光装置１２０はキセノン管６を備えており、そのキセノン管６に閃光発光を行なわせるための回路が各種配備されている。
【００４０】
この閃光発光装置１２０には、キセノン管６と、そのキセノン管６に電力を供給するためのメインコンデンサＭＣと、キセノン管６内に充填されているキセノンガスを励起させるためのトリガ回路１２１と、メインＣＰＵ１０１からの信号に基づいて発光指示をキセノン管６に出すＣＰＵ１２２と、そのＣＰＵ１２２からの発光指示に基づいてキセノン管６に閃光発光を行なわせるためのスイッチングトランジスタＩＧＢＴが配備されている。
【００４１】
このＣＰＵ１２２はメインＣＰＵ１０１との間で通信を行なうものであり、メインＣＰＵ１０１側で低輝度であると判定された場合に通信路を介して閃光指示が供給されるものである。またメインコンデンサＭＣを充電するためのＤＣ・ＤＣコンバータ１２３も配備されており、このＤＣ・ＤＣコンバータ１２３の昇圧トランスによって電流の増幅が行なわれてその増幅された電流がメインコンデンサＭＣに供給されている。このＤＣ・ＤＣコンバータ１２３によりメインコンデンサＭＣに電流が供給されて充電が行なわれるときにはＣＰＵ１２２から充電ＯＮ信号がＤＣ・ＤＣコンバータ１２３に供給されて充電が行なわれる。このＤＣ・ＤＣコンバータ１２３により充電を行なっているときにメインコンデンサＭＣの電圧が抵抗分割回路からなる電圧モニタ回路１２４により検出されているので、その電圧モニタ回路１２４により検出されたメインコンデンサＭＣの電圧が所定の電圧であることがＣＰＵ１２２により検知されたら、充電ＯＦＦ信号がＣＰＵ１２２からＤＣ・ＤＣコンバータ１２３に供給される。なお電圧モニタ１２４からＣＰＵ１２２にメインコンデンサＭＣの電圧を示す信号が供給されるときには、ＡＤ部でデジタル信号に変換された信号が供給されている。またフラッシュメモリには撮影状況に応じて発光時間を補正するためのデータなどがフラッシュメモリ１２８に記憶されている。
【００４２】
また、このカメラ１００には調光回路１２５が配備されており、閃光発光時には閃光の発光量が閃光の光に反応する調光センサであるフォトトランジスタ１２６が作動してそのフォトトランジスタに流れる電流が積算用のコンデンサＣｔで積算されて測光量が検出される。この検出された測光量が所定の値に達したと測光回路１２５により判定されたときにスイッチングトランジスタＩＧＢＴのゲートが遮断されるようになっている。
【００４３】
このような閃光発光装置１２０の中に組み込まれるキセノン管６廻りの構成を示して本発明の特徴を説明する。
【００４４】
図５はキセノン管６廻りの発光部の構成を前方から見た図で、図６はその図に示すＡ−Ａの部分のＡ−Ａ断面図である。。
【００４５】
ここでは図６に示すようにプロテクタ５とキセノン管６とリフレクタ７とに蛍光材料１３０が塗布されており、この点を除けば図２の構成と同様である。ここで塗布されている蛍光材料はイットリウムアルミニウムガーネット（以下ＹＡＧ）を主成分とするものである。これはキセノン管６から発せられリフレクタ７で反射してプロテクタ５から前方に出射するまでの間の閃光の光路上に、可視光域内の波長の蛍光を発する蛍光材料１３０が塗布されたものを配置するためである。また、プロテクタにも蛍光材料が塗布されているので、発光管から前方に向けて直接発せられる閃光も必ず蛍光材料に照射される。このように蛍光材料１３０に閃光を照射することで蛍光材料１３０から可視光域内の波長（４５０〜６５０ｎｍ）を持つ蛍光が発せられる。この蛍光が発せられるときには主に可視光域外の波長を持つ光が大きく寄与し、可視光域外の波長を持つ光が可視光域内の波長を持つ光に変換される。
【００４６】
ここでは、プロテクタ５、リフレクタ７双方に蛍光塗料を塗布したが、プロテクタ５、リフレクタ７のうち、いずれか一方に蛍光材料が塗布されるものであっても良い。またキセノン管６の管表面に蛍光材料が塗布されていても、キセノン管６の管内面に蛍光材料が塗布されていても良い。また、この蛍光材料１３０はプロテクタ５の表面やリフレクタ７の表面に均一に塗布されていることが好ましい。
【００４７】
またキセノン管の管部の材料として蛍光材料が添加された材料を使用した場合にはキセノン管に蛍光材料を塗布する必要がなくなる。またプロテクタの材料として蛍光材料が添加された材料を使用した場合においても同様である。この場合にはキセノン管の管表面、プロテクタの表面に蛍光材料を塗布する必要がなくなり、組立作業が楽になるという効果もある。
【００４８】
このようにキセノン管６から閃光が発せられてプロテクタ５から出射されるまでの閃光の光路上に蛍光材料１３０が塗布または添加されたものが配置されていると、閃光をその蛍光材料１３０に照射することになり、キセノン管６から発せられた閃光に蛍光材料１３０から発せられた蛍光を含めた閃光をプロテクタ５から出射させることができる。ここでは蛍光材料として上記ＹＡＧを主成分とする蛍光材料を使用しているので、蛍光の波長帯が４５０ｎｍ〜６５０ｎｍになり、その波長帯の可視光域の光量が増えた閃光がプロテクタ５から出射される。
【００４９】
このように可視光域外の波長を持つ光が低減されて可視光域内の波長を持つ光に変換され、可視光域内の光量が増えるので、いままであれば無駄な放射になっていた可視光域外の光を、蛍光作用を促進するものとして使用することができ、利用効率が向上した閃光を被写体に向けて照射することができる。
【００５０】
このような利用効率が向上した閃光を被写体に向けて照射することができる閃光発光装置をカメラに配備するときには、蛍光を含めた閃光が被写体に向けて照射されるのでいままでよりも小型のキセノン管を用いても以前と同様の閃光を得ることができる。キセノン管が小型になればこのキセノン管に電力を供給するコンデンサの容量も小さくすることができ、閃光発光装置全体を小型にすることもできる。さらにこの閃光発光装置が配備されるカメラをも小型にすることができる。
【００５１】
しかしこのように蛍光を含めた閃光をプロテクタから出射させ、被写体に向けて照射すると、閃光の発光分布特性が変わってしまう。このように閃光の発光分布特性が変わると、色温度に変化が現れてしまう。この色温度は太陽光であれば６０００Ｋ、室内灯であれば４５００Ｋといったものであり、色温度に基づいてＲ光、Ｇ光、Ｂ光の配合率が決められて、基準色となる白色つまりホワイトバランスの調整が行なわれる。
【００５２】
したがって、この閃光発光装置をデジタルカメラに適用する場合には、この閃光の発光分布特性の変化に伴う色温度の変化を予め把握しておく必要がある。
【００５３】
図７は蛍光材料が塗布されたキセノン管やリフレクタやプロテクタが配備された発光部から発光された閃光の色温度を測定する測定系を示す図である。
【００５４】
図７に示すようにカメラ１００が三脚５０に固定されている。その前方には幕５１が張られており、この幕５１に向けて閃光発光が行なわれる。幕５１には色温度センサ５２が設けられており、その色温度センサ５２により検知された色温度を示すデータが色温度計５３に供給されて色温度の測定が行なわれる。
【００５５】
この色温度計５３の測定結果をパーソナルコンピュータ５４で受け取り、その受け取った色温度データをカメラ１００のフラッシュＲＯＭ１０２に書き込むことが行なわれる。そうすると、このカメラ１００で閃光を伴った撮影が行なわれたときにそのフラッシュＲＯＭ１０２内に書き込まれた色温度に基づいてＲＧＢからなる画像データのＲ信号、Ｇ信号、Ｂ信号それぞれの利得が調整されてホワイトバランスの調整が行なわれ、カラー調整が行なわれる。
【００５６】
ここでキセノン管単体の発光分布と、蛍光材料によりその発光分布にどのような効果が与えられかを図８を参照して説明する。
【００５７】
図８はキセノン管単体が示す発光分布特性と、発光分布×視感度を示す図である。横軸には波長が示されており、左側の縦軸には発光光量に対応する相対発光エネルギーが示され、また右側の縦軸には視感度が示されている。
【００５８】
図８のカーブＡはキセノン管単体の発光分布を示すカーブであり、図８のカーブＢは標準視感度を示すカーブである。またそのカーブＡとカーブＢとを乗算したカーブＣがキセノン管単体の視感度の特性として示されている。また図８のカーブＤおよびカーブＥは蛍光により可視光域内の光の光量が増やされたときの閃光の発光分布特性を示すカーブである。このカーブＤとカーブＥは蛍光材料の厚さにばらつきがあった場合にどの程度発光分布特性が変化するかを示すもので、カーブＤが下限を示し、カーブＥが上限を示す。また図中Ｒ光、Ｇ光、Ｂ光の波長帯がどの部分であるかが分かるように波長の短い方からＢ、Ｇ、Ｒという符合とともに矢印をそれぞれ示してある。
【００５９】
この図８からもわかるようにいままでの閃光の発光分布特性では閃光の明るさを示す視感度として０．４程度の明るさが得られている。
【００６０】
このキセノン管単体の発光分布を、蛍光材料により変換して、可視光域内の相対発光エネルギーを上げようという試みである。
【００６１】
図８からもわかるように蛍光を含めた発光分布特性を示すカーブＤおよびカーブＥはキセノン管単体の発光分布特性であるカーブＡに比べて可視光域外の光の光量が減り、可視光域内の波長を持つ光の光量が増加したものになっている。ここで蛍光材料の厚みを均一にすることができれば、相対発光エネルギーにして最大０．６程度までの光量の増量が見込める。また視感度にしても０．６程度までの明るさを増加させることができる。
【００６２】
以上説明したように蛍光材料により蛍光作用を用いて閃光の発光分布特性を変えてより明るい閃光を被写体に向けて照射することが可能になる。さらに可視光域外の波長を持つ光が有効に活用されて、可視光域内の光量が増えるので、閃光の利用効率が上がり、キセノン管を小型にすることもメインコンデンサの容量を小型にすることもできる。またキセノン管の発光電力を小さくしてもいままでと同じ発光分布特性が得られることから一回り小さな発光電力のキセノン管を使用することが可能になる。
【００６３】
上記説明では蛍光材料をキセノン管６の管表面に塗布した例を挙げたが、塗布する代わりに蛍光材料を有する導電樹脂をキセノン管に巻きつけるようなことを行なっても良い。
【００６４】
図９は蛍光体を持つ導電樹脂６ａをキセノン管６に巻きつけた例である。
【００６５】
このようにすると蛍光体を持つ導電樹脂６ａの厚みを均一に保つことができ、また作業が簡易になるという利点がある。
【００６６】
このように閃光の利用効率が上がると発光管を小型にすることも、メインコンデンサを小型にすることも可能になり、閃光発光装置全体の小型化を図ることができる。また、閃光発光装置全体の小型化によりカメラ全体の小型化をも図ることができる。
【００６７】
【発明の効果】
以上、説明したように、本発明のカメラによれば、閃光の利用効率を向上させ、キセノン管の小型化並びにメインコンデンサの小型化を図ることができる閃光発光装置を備えたカメラを提供することができる。
【図面の簡単な説明】
【図１】閃光発光装置を備えたカメラの外観を示す図である。
【図２】図１の発光窓の内側に配設されるキセノン管とリフレクタを示す図である。
【図３】本発明の実施形態を示すカメラの構成を示すブロック図である。
【図４】図３の中の閃光発光装置の構成を示す図である。
【図５】本実施形態のカメラの閃光発光装置に使用されるキセノン管とリフレクタを示す図である。
【図６】図５のＡ−Ａ断面図である。
【図７】図３のフラッシュメモリ１０２に書き込まれる色温度を測定する測定系を示す図である。
【図８】キセノン管単体の閃光の発光分布特性と蛍光が加算された閃光の発光分布特性を示す図である。
【図９】閃光の経路に蛍光体を配置する別の構成例である。
【符号の説明】
１    カメラ
１ａ    カメラボディ
２    レリーズ釦
３    レンズ鏡胴
４    発光窓
５    プロテクタ
６    キセノン管
７    リフレクタ
１００    カメラ
１０１    ＣＰＵ
１０２    フラッシュメモリ
１１０    ホワイトバランス調整回路
１２０    閃光発光装置
【図１】
2004226455.tif 000003
【図２】
2004226455.tif 000004
【図３】
2004226455.tif 000005
【図４】
2004226455.tif 000006
【図５】
2004226455.tif 000007
【図６】
2004226455.tif 000008
【図７】
2004226455.tif 000009
【図８】
2004226455.tif 000010
【図９】
2004226455.tif 000011